(57)【要約】【課題】軒天の見栄えを向上し、しかも、幅中央部や長さ中央部が撓むおそれがない庇、さらには、目地を覆うカバー材を用いる必要がなく、組立工程が簡略化された庇を提供する。【解決手段】横並びの複数個のブラケット１１に組み付けられる庇本体２は、各ブラケット１１を挟んで上下に配置される屋根板３および軒天板４と、屋根板３と軒天板４との間の左右の両側面および前面にそれぞれ配置される妻板および軒先板６とを有する。軒天板４は一枚の板材４０の上面の長さ方向の中間位置に全幅にわたる補強枠材４１を固着して構成されている。補強枠材４１の各ブラケット１１と交叉する位置に、補強枠材４１と各ブラケット１１とを連結する連結金具７をそれぞれ設けて、各連結金具７を介して軒天板４の長さ方向の中間位置を各ブラケット１１に支持する。【選択図】図３
2010248828.tif 000002
【特許請求の範囲】
【請求項１】
横並びの複数個のブラケットに庇本体が組み付けられて成る庇であって、前記庇本体は、各ブラケットを挟んで上下に配置される屋根板および軒天板と、屋根板と軒天板との間の左右の両側面と前面とにそれぞれ配置される妻板および軒先板とを有し、軒天板は一枚の板材の上面の長さ方向の中間位置に全幅にわたる少なくとも１本の補強枠材を固着して構成されており、補強枠材の各ブラケットと交叉する位置に、補強枠材と各ブラケットとを連結する連結金具をそれぞれ設けて、各連結金具を介して軒天板の長さ方向の中間位置を各ブラケットに支持して成る庇。
【請求項２】
前記補強枠材は、上面が開放された長さ方向へ延びる摺動溝を有し、ブラケットと同数の連結金具が摺動溝に抜止め状態で移動自由に支持されている請求項１に記載された庇。
【請求項３】
前記連結金具は、頭部が補強枠材の摺動溝に抜止め状態で係合するとともにネジ軸部が摺動溝より上方へ突出しているボルトと、ボルトのネジ軸部が貫通する孔を有する連結固定板と、ボルトのネジ軸部に支持された連結固定板をブラケットに係合させた状態で締め付けるナットとを含んでいる請求項２に記載された庇。
【請求項４】
横並びの複数個のブラケットに庇本体を組み付けて庇を組み立てる庇の組立方法であって、建物の外壁面の同じ高さ位置に複数個のブラケットを一定の間隔で横並びに取り付けた後、一枚の板材の上面の長さ方向の中間位置に全幅にわたる少なくとも１本の補強枠材を固着して構成された軒天板を、補強枠材を各ブラケットに連結金具によりそれぞれ連結して支持させた状態で各ブラケットの下端の側に固定することにより各ブラケットに軒天板を組み付けた後に、各ブラケットの上端の側に屋根板を組み付けて庇を組み立てることを特徴とする庇の組立方法。
【請求項５】
前記屋根板には妻板および軒先板が一体に組み立てられている請求項４に記載された庇の組立方法。
【発明の詳細な説明】
【技術分野】
【０００１】
この発明は、建物の外壁面より前方へ張り出すように設置される庇に関し、特に、この発明は、建物の外壁面に横並びに取り付けられた複数個のブラケットに庇本体が組み付けられて成る庇と、その庇を組み立てるための組立方法とに関する。
【背景技術】
【０００２】
従来のその種の庇は、図１２に示すように、屋根板１０３、軒天板１０４、左右の妻板１０５，１０５、および軒先板１０６により内部が中空の庇本体１０２が構成されている。屋根板１０３と軒天板１０４は、建物の外壁面に横並びに取り付けられた複数個のブラケット１１（図１３および図１４に示す）を挟むように上下に対向させて配備されている（例えば特許文献１参照）。
【先行技術文献】
【特許文献】
【０００３】
【特許文献１】特開平１１−２２９５４６号公報
【０００４】
幅が狭い庇や張出量の小さな庇では、屋根板１０３や軒天板１０４は１枚の金属製の板材を用いて形成されるが、幅や張出量が大きくなると、板材の幅中央部や長さ中央部が自重により撓むため、図１３および図１４に示すように、複数枚のパネル１１０，１２０をそれぞれ連ねて屋根板１０３や軒天板１０４を形成している。なお、妻板１０５は屋根板１０３と軒天板１０４との間の左右の両側面に、また、軒先板１０４は屋根板１０３と軒天板１０４との間の前面に、それぞれ位置させるが、図示のものでは、妻板１０５，１０５を構成する部分は両端のパネル１１０ａ，１１０ｂに、軒天板１０４を構成する部分は全てのパネル１２０に、それぞれ一体形成されている。
【０００５】
上記した構成の庇を組み立てるには、まず、庇の張出量に応じた長さの複数個のブラケット１１を建物の外壁面の同じ高さの位置に一定の間隔で横並びに取り付ける。つぎに、一端部位置のブラケット１１ａの上端面に、まず、一方の妻板１０５を構成する部分を有するパネル１１０ａをビス１３０により固定し、つぎに、屋根板１０３の中央部分を構成する複数枚のパネル１１０を順次連ねてそれぞれをビス１３０により各ブラケット１１に固定した後、他方の妻板１０５を構成する部分を有するパネル１１０ｂをビス１３０により他端部位置のブラケット１１ｂに固定する。
庇の上端の側の組立が終ると、つぎに、各ブラケット１１の下端の側に、軒天板１０４を構成する複数枚のパネル１２０を順次連ねてそれぞれをビス１３０によりブラケット１１に固定した後、隣り合うパネル１２０，１２０間のつなぎ目（目地）にカバー材１２１（図１２）をビス１３０により固定するとともに、残りの目地にコーキング材を充填する。
【発明の概要】
【発明が解決しようとする課題】
【０００６】
上記した構成の庇では、特に軒天板１０４は複数のパネル１２０を連ねて構成されているため、軒天板１０４の全面に目地が発生する。その目地にカバー材１２１を配置したりコーキング材を充填したりするので、この軒天の目地やカバー材１２１、さらには、カバー材１２１を固定するビス１３０が下方から見え、見栄えが著しく悪くなる。また、屋根板１０３や軒天板１０４を複数のパネル１１０，１２０により構成するうえに、軒天板１０４の組立に多くのカバー材１２１を用いるため、部品点数が増し、組立工程も多くなり、庇の施工コストが高くなる。
【０００７】
この発明は、上記の問題に着目してなされたもので、軒天板を一枚の板材を用いて構成することにより、軒天の見栄えを向上し、しかも、幅中央部や長さ中央部が撓むおそれがない庇、さらには、カバー材を用いる必要がなく、組立工程が簡略化された庇を提供することを目的とする。
また、この発明が他に目的とするところは、各ブラケットの下端の側に軒天板を組み付けた後に、各ブラケットの上端の側へ屋根板を組み付けることにより、ブラケットに軒天板の中間位置を支持させるための上方からの作業を可能とした庇の組立方法を提供することにある。
【課題を解決するための手段】
【０００８】
この発明による庇は、横並びの複数個のブラケットに庇本体が組み付けられて成るものであり、前記庇本体は、各ブラケットを挟んで上下に配置される屋根板および軒天板と、屋根板と軒天板との間の左右の両側面および前面にそれぞれ配置される妻板および軒先板とを有している。軒天板は一枚の板材の上面の長さ方向の中間位置に全幅にわたる少なくとも１本の補強枠材を固着して構成されている。補強枠材の各ブラケットと交叉する位置に、補強枠材と各ブラケットとを連結する連結金具をそれぞれ設けて、各連結金具を介して軒天板の長さ方向の中間位置を各ブラケットに支持する。
【０００９】
上記した構成の庇において、軒天板は一枚の板材により構成されているので、軒天板に目地が発生しない。また、目地にカバー材を配置したりコーキング材を充填したりすることがないので、庇を下方より見上げたとき、目地やカバー材、さらにはカバー材を固定するビスの存在による見栄えの低下がない。
また、一枚の板材の上面の長さ方向の中間位置に全幅にわたる少なくとも１本の補強枠材を固着して軒天板を構成するので、軒天板の幅中央部が自重によって撓むことがない。さらに、補強枠材の各ブラケットと交叉する位置に、補強枠材と各ブラケットとを連結する連結金具をそれぞれ設けて、各連結金具を介して軒天板の長さ方向の中間位置を各ブラケットに支持させるので、軒天板の長さ中央部が自重によって撓むこともない。
【００１０】
この発明の上記した構成において、軒天板を構成する一枚の板材は、下面が平坦なものであってもよく、線状その他の凹凸模様などを形成したものであってもよい。また、補強枠材は板材の長さが長ければ、１本に限らず、２本以上設けてもよい。
【００１１】
この発明の好ましい実施態様において、前記補強枠材は、上面が開放された長さ方向に延びる摺動溝を有し、ブラケットと同数の連結金具が摺動溝に抜止め状態で移動自由に支持されている。
この実施態様によるとき、各連結金具を摺動溝を摺動させて補強枠材と各ブラケットとが交叉する位置まで移動させ、それぞれの位置において連結金具により補強枠材と各ブラケットとを連結することにより、各連結金具を介して軒天板の長さ方向の中間位置を各ブラケットに支持させる。
【００１２】
前記連結金具として、種々の態様のものが考えられるが、好ましい実施態様の連結金具は  、頭部が補強枠材の摺動溝に抜止め状態で係合するとともにネジ軸部が摺動溝より上方へ突出しているボルトと、ボルトのネジ軸部が貫通する孔を有する連結固定板と、ボルトのネジ軸部に支持された連結固定板をブラケットに係合させた状態で締め付けるナットとを含んでいる。
【００１３】
上記した実施態様の連結金具では、各連結金具を摺動溝を摺動させて補強枠材と各ブラケットとが交叉する位置まで移動させ、それぞれの位置において連結金具の連結固定板をブラケットに係合させた状態でナットを回して締め付ける。これにより連結固定板はブラケットに係合した状態で固定され、補強枠材とブラケットとが連結金具により連結される。
【００１４】
この発明による庇の組立方法は、横並びの複数個のブラケットに庇本体を組み付けて庇を組み立てるものであって、建物の外壁面の同じ高さ位置に複数個のブラケットを一定の間隔で横並びに取り付けた後、一枚の板材の上面の長さ方向の中間位置に全幅にわたる少なくとも１本の補強枠材を固着して構成された軒天板を、補強枠材を各ブラケットに連結金具によりそれぞれ連結して支持させた状態で各ブラケットの下端の側に固定することにより各ブラケットに軒天板を組み付けた後に、各ブラケットの上端の側に屋根板を組み付けて庇を組み立てることを特徴とするものである。
【００１５】
この発明の庇の組立方法では、各ブラケットの下端の側に軒天板を組み付けた後に、各ブラケットの上端の側に屋根板を組み付けて庇を組み立てるので、ブラケットに軒天板の補強枠材を支持させるための上方からの作業が可能となる。
【００１６】
この発明の好ましい実施態様においては、前記屋根板には妻板および軒先板が一体に組み立てられている。この実施態様によると、各ブラケットの上端の側への屋根板の組み付けによって屋根板とともに妻板と軒先板とが組み付けられ、庇を効率よく組み立てることができる。なお、妻板および軒先板は必ずしも屋根板と一体のものである必要はなく、屋根板を組み付けた後に妻板と軒先板と順次組み付けるものであってもよい。
【発明の効果】
【００１７】
この発明によると、一枚の板材を用いて軒天板を構成したから、軒天板に目地がなく、軒天の見栄えが優れたものとなる。しかも、板材の上面の長さ方向の中間位置に全幅にわたる少なくとも１本の補強枠材を固着して軒天板を形成するとともに、補強枠材の各ブラケットと交叉する位置に、補強枠材と各ブラケットとを連結する連結金具をそれぞれ配備して、各連結金具を介して軒天板の長さ方向の中間位置を各ブラケットに支持させるから、軒天板の幅中央部や長さ中央部が自重によって撓むおそれがない。さらに、カバー材などを用いる必要がないから、部品点数が少なく、組立工程が簡略化され、庇の組立コストが低減される。
また、この発明の組立方法によると、各ブラケットの下端の側に軒天板を組み付けた後に、各ブラケットの上端の側に屋根板を組み付けるから、ブラケットに軒天板の補強枠材を支持させるための上方からの作業が可能となる。
【図面の簡単な説明】
【００１８】
【図１】この発明の一実施例である庇の外観を斜め上方より見た斜視図である。
【図２】図１の庇を斜め下方より見た斜視図である。
【図３】図１のＡ−Ａ線に沿う断面図である。
【図４】庇の一側端部における図３のＢ−Ｂ線に沿う断面図である。
【図５】図４のＣ−Ｃ線に沿う断面図である。
【図６】図３のＤ−Ｄ線に沿う断面図である。
【図７】連結金具の構成を示す斜視図である。
【図８】ブラケットの取付工程を示す斜視図である。
【図９】ブラケットに対し軒天板を位置決めする工程を示す斜視図である。
【図１０】軒天板をブラケットに固定した状態を示す斜視図である。
【図１１】屋根板をブラケットに組み付ける状態を示す斜視図である。
【図１２】従来例の外観を下方より見た斜視図である。
【図１３】従来の庇の屋根板を組み付ける工程を示す斜視図である。
【図１４】従来の庇の軒天板を組み付ける工程を示す斜視図である。
【発明を実施するための形態】
【００１９】
図１および図２は、この発明の一実施例である庇１の外観を示している。
図示の庇１は、建物の外壁面から前方へ張り出すように設置され、横並びの複数個のブラケット１１（図３に示す）に庇本体２が組み付けられて成る。庇本体２はアルミニウム製または合成樹脂製であり、屋根板３、軒天板４、左右の妻板５，５、および軒先板６により構成され、庇本体２の内部は中空である。屋根板３と軒天板４とは各ブラケットを挟んで上下に配置されている。妻板５，５は屋根板３と軒天板４との間の左右の両側面に、また、軒先板６は屋根板３と軒天板４との間の前面に、それぞれ配置されている。
【００２０】
図示例の庇１は、詳細は後述するが、屋根板３および軒天板４が庇１の前後方向の長さＬと幅Ｗとに応じた長さと幅とを有する一枚のアルミニウム製の板材を用いて形成されているので、庇１を上方から見た場合（図１）や庇１を下方から見た場合（図２）に、図１１に示した従来例のように、目地やカバー材１２１が視界に入ることはない。
【００２１】
図３〜図５は、上記した庇本体２の取付状態と内部構造とを示している。
図３において、１１は庇１の張出量に応じた長さの金属製のブラケットであり、建物の外壁面１０の同じ高さ位置に一定の間隔で横並びに取り付けられている。各ブラケット１１は、一側方が開放された形状のものであり、基端部１２、側板部１３、上板部１４、および下板部１５を有している。基端部１２は建物の外壁面１０に当接されるもので、アンカーなどのボルト１６を通すボルト通し孔１７，１７が上下に開設されている。ブラケット１１の基端部１２をボルト１６およびナット１８により外壁面に取り付けた状態では、水平な下板部１５に対して上板部１４が後端から前端へ低く傾斜する。
【００２２】
庇本体２を構成する軒天板４は、庇１の長さＬと幅Ｗとに応じた長さと幅とを有する一枚のアルミニウム製の板材４０により形成されており、板材４０の上面の長さ方向の中間位置には１本の補強枠材４１が接着剤により固着されている。板材４０の前後の各端部には補強枠材４１の厚みｄに相当する高さの立ち上がり部４０ａとブラケット１１の下板部１５に当接してビス６９、４５により固定される接合部４０ｂ，４０ｃとが屈曲形成されている。補強枠材４１はアルミニウム製であり、板材４０の全幅にわたる長さに形成されている。補強枠材４１は対向する側板部４２，４２を有し、側板部４２，４２間に上面が開放された長さ方向へ延びる摺動溝４３が形成されている。各側板部４２の上端縁は内向きに屈曲され、後述する連結金具７が抜け出ないようにするための抜止部４４が形成されている。
なお、補強枠材４１は必ずしも１本である必要はなく、板材４０の長さに応じて２本以上設けてもよい。また、補強枠材４１の板材４０の上面への固着は、その固着部分が下面に現れないようにするために接着剤を用いるのが望ましいが、これに限られるものではない。
【００２３】
補強枠材４１の摺動溝４３には、図６および図７に示すように、ブラケット１１と同数の連結金具７が抜止め状態で移動自由に支持されている。各連結金具７は、補強枠材４１の各ブラケット１１と交叉する位置に位置決めされ、各連結金具７により補強枠材４１と各ブラケット１１とを連結することにより各連結金具７を介して軒天板４の長さ方向の中間位置が各ブラケット１１に支持されている。
【００２４】
図示例の連結金具７は、ボルト７０と連結固定板７３とナット７５とで構成され、両端に位置する連結金具７には吊り金具７６が設けられている。
ボルト７０は大径の頭部７１が補強枠材４１の摺動溝４３に抜止め状態で係合されており、ネジ軸部７２が摺動溝４３の上面開口より上方へ突出している。連結固定板７３は、ボルト４０のネジ軸部７２が貫通する孔７４を有する基板部７３ａと、ブラケット１１の下板部１５上に係合させる係合板部７３ｂとが、ブラケット１１の下板部１５の厚みに相当する高さの段部７３ｃを介して一体に屈曲形成されたものである。ナット７５は、ボルト７０のネジ軸部７２にねじ込まれ、ネジ軸部７２に支持された連結固定板７３の係合板部７３ａをブラケット１１の下板部１５上に係合させた状態で連結固定板７３の基板部７３ｂを補強枠材４１との間で締め付けるものである。連結固定板７３の係合板部７３ａはブラケット１１の下板部１５にビス７７により止着される。
【００２５】
吊り金具７６は、ボルト７０のネジ軸部７２の上端部にねじ込まれる内ネジ部７６ａを有し、この内ネジ部７６ａにロープやワイヤーなどの吊り索２２を通すための環状部７６ｂが一体形成されたものである。吊り索２２は、庇体２の軒天板４をブラケット１１の下端に組み付ける際、軒天板４の両端部を両端位置のブラケット１１ａ，１１ｂ（図９参照）に巻き付けて宙づり状態とするのに用いられ、軒天板４をブラケット１１の下方にほぼ位置決めした状態で定位させる。
【００２６】
図３に戻って、庇本体２を構成する屋根板３は、庇１の長さＬと幅Ｗとに応じた長さと幅とを有する一枚のアルミニウム製の板材３０により形成され、板材３０の後端部に所定の高さの立ち上がり部３０ａとブラケット１１の上板部１４に当接させてビス３１により固定するための接合部３０ｂとが屈曲形成されている。立ち上がり部３０ａは屋根板３とブラケット１１との間に介在させる発泡材などより成る消音板８の厚みに相当する高さに設定される。
【００２７】
屋根板３の先端部には軒先板６が、両側端部には左右の妻板５，５が、それぞれブラケット１１への組み付けに先立って連設される。軒先板６は、庇本体２の幅Ｗに応じた長さを有し、前板部６０の上端部に屋根板３の前端縁を全幅にわたって挟持する第１の挟持部６１が、下端部に軒天板４の前側の接合部４０ｂをブラケット１１の下板部１５との間で全幅にわたって挟持する第２の挟持部６５が、それぞれ一体形成されている。
【００２８】
第１の挟持部６１は、屋根板３の前端部の下面を全長にわたって支持する支持板部６２と、支持板部６２との間で屋根板３の前端部を挟持する縁板部６３とを、それぞれ後方へ突設して成るもので、支持板部６２と縁板部６３との間には屋根板３の前端部が挿入されて支持される支持溝６４が形成されている。支持板部６２の先端部にはブラケット１１の上板部１４に当接させる脚板部６２ａが下向きに一体形成されている。脚板部６２ａの高さは屋根板３の後端部の立ち上がり部３０ａの高さと一致させているので、屋根板３はブラケット１１の傾斜する上板部１４と平行に支持される。
【００２９】
第２の挟持部６５は、軒天板４の前側の接合部４０ｂの下面を全長にわたって支持する支持板部６６を前板部６０の下端から所定の高さ位置に後方へ突設して成る。支持板部６６の先端部には前板部６０の下端部分６０ａと対向する突板部６７が下向きに一体形成されている。軒天板４の前側の接合部４０ｂは支持板部６６とブラケット１１の下板部１５との間に挟着されるもので、複数箇所がビス６９により止着される。これらのビス６９が下方より見えないように、前板部６０の下端部分６０ａと突板部６７との間の開口部分にカバー９が被せられている。
【００３０】
カバー９は、アルミニウムなどの金属や合成樹脂により形成され、前記開口部分より十分に広い幅の覆い板９０と、互いに対向する脚板９１，９１とが一体形成されたものである。各脚板９１，９１の先端には外向きの係合突起９２，９２が、また、前板部６０の下端部分６０ａと突板部６７とが対向する面には内向きの係合突起６８が、それぞれ設けてあり、カバー９の脚板９１，９１を前板部６０の下端部分６０ａと突板部６７との間の開口部分へ挿入したとき、係合突起９２，６８が互いに係合してカバー９が抜止め状態となる。
【００３１】
屋根板３の両端縁に連設される左右の妻板５，５は、庇本体２の長さＬに応じた長さを有し、庇本体の厚みＨ（ただし、厚みＨは後端側から前端側にかけて薄くなる）に応じた幅を有するもので、図４および図５に示すように、上端縁が全長にわたって上部保持枠５０により保持され、下端縁が全長にわたって下部保持枠８０により保持されている。
【００３２】
上部保持枠５０は、妻板５の上端部を全長にわたって挟持する第１の挟持部５１と、屋根板３の側端部を全長にわたって挟持する第２の挟持部５５とを一体に備えている。
第１の挟持部５１は、妻板５の上端部の一定幅を全長にわたって内側より支持する支持板部５２と、支持板部５２との間で妻板５の上端縁を挟持する縁板部５３とから成るもので、支持板部６５と縁板部５３との間には妻板５の上端部が挿入されて支持される支持溝５４が形成されている。第２の挟持部５５は、屋根板３の側端部の一定幅を全長にわたって下側より支持する支持板部５６と、支持板部５６との間で屋根板３の側端部を挟持する縁板部５７とを、それぞれ内方へ突設して成るもので、支持板部５６と縁板部５７との間には屋根板６の側端部が挿入されて支持される支持溝５８が形成されている。第１の挟持部５１において妻板５の上端部と上部保持枠５０との間、第２の挟持部５５において妻板５の側端部と上部保持枠５０との間はそれぞれ接着剤により接合されている。
【００３３】
下部保持枠８０は、妻板５の下端部を全長にわたって挟持する挟持部８１を備えている。挟持部８１は、妻板５の下端部の一定幅を全長にわたって内側より支持する支持板部８２と、支持板部８２との間で妻板５の下端部を挟持する縁板部８３とから成るもので、支持板部８２と縁板部８３との間には妻板５の下端部が挿入されて支持される支持溝８４が形成されている。挟持部８１において、妻板５の下端部と下部保持枠８０との間は接着剤により接合されている。
前記の支持板部８２の下端から所定の高さ位置に水平板部８５が内方へ突設され、水平板部８５の先端部には支持板部８２と対向する突板部８６が下向きに一体形成されている。下方からの目隠しのために、支持板部８２と突板部８６との間の開口部分にカバー９５が被せられている。
【００３４】
カバー９５は、アルミニウムなどの金属や合成樹脂により形成され、前記開口部分より十分に広い幅の覆い板９６と、互いに対向する脚板９７，９７とが一体形成されたものである。各脚板９７，９７の先端には外向きの係合突起が９８，９８が、また、支持板部８１と突板部８６とが対向する面には内向きの係合突起８７が、それぞれ設けてあり、カバー９５の脚板９７，９７を支持板部８２と突板部８６との間の開口部分へ挿入したとき、係合突起９８，８７が互いに係合してカバー９５が抜止め状態となる。
【００３５】
上記した軒先板６の両側端部は、図４に示すように、斜め４５度に切断され、また、妻板５の上部保持枠５０および下部保持枠８０の前端部は軒先板６の切断端面に合わせて斜め４５度に切断されている。軒先板６の切断断面と上部保持枠５０および下部保持枠８０の切断断面とが突き合わされることで、軒先板６と左右の妻板５，５とが直角に連設される。
【００３６】
上記した構成の庇本体２を横並びの複数個のブラケット１１に組み付けて庇１を組み立てるには、まず、図８および図９に示すように、建物の外壁面の同じ高さ位置に複数個のブラケット１１をボルト１６およびナット１８によって一定間隔で横並びに取り付ける。
【００３７】
つぎに、一枚の板材４０の上面の長さ方向の中間位置に補強枠材４１が固着されかつ補強枠材４１の摺動溝４３に複数の連結金具７が抜止め状態で移動自由に支持された軒天板４を持ち上げ、ブラケット１１の下面の側に位置決めする。この場合、両端に位置する連結金具７に吊り金具７６を取り付けているので、各吊り金具７６の環状部７６ｂにロープやワイヤーなどの吊り索２２を通し、各吊り索２２を両端のブラケット１１ａ，１１ｂにそれぞれ巻き付けて宙づり状態に支持させるとともに、軒天板４をブラケット１１の下方にほぼ位置決めした状態で定位させる。
【００３８】
つぎに、図１０に示すように、各連結金具７を補強枠材４１の摺動溝４３を摺動させて補強枠材４１と各ブラケット１１とが交叉する位置まで移動させ、それぞれの位置において連結金具７の連結固定板７３の係合板部７３ｂをブラケット１１の下板部１５上に係合させた状態でナット７５を回して締め付ける。これにより各連結金具７の連結固定板７３はブラケット１１の下板部１５に係合した状態で固定され、さらに、連結固定板７３の係合板部７３ａとブラケット１１の下板部１５とをビス７７により止着することにより、補強枠材４１とブラケット１１とが複数個の連結金具７により連結される。
【００３９】
このようにして、補強枠材４１を各ブラケット１１に連結金具７によりそれぞれ連結して支持させた状態で、軒天板４の板材４０の後側の接合部４０ｃを各ブラケット１１の下板部１５にビス４５により固定して、各ブラケット１１への軒天板４の組み付けを完了する。
【００４０】
最後に、図１１に示すように、左右の妻板５，５および軒先板６が一体に組み立てられた屋根板３をブラケット１１の上方まで持ち上げ、斜め前方より軒天板４上に被せるようにして組み付け、屋根板３の板材３０の後端部の接合部３０ｂをブラケット１１の上板部１４にビス３１により固定し、また、軒先板６の第２の挟持部６５の支持板部６６と軒天板４の前側の接合部４０ｂとをブラケット１１の下板部１５にビス６９により固定して、各ブラケット１１への屋根板３、左右の妻板５、および軒先板６の組み付けを完了する。
【００４１】
その後、軒天板４の先端部と軒先板６との間にカバー９を装着し、さらに、左右の妻板５の下端部と軒天板４との間にカバー９５を装着した後、建物の外壁部と庇本体２の基端部との隙間にコーキング材２１を充填して庇１の組立を完了する。
【００４２】
上記した構成の庇１においては、軒天板４は一枚の板材４０により構成されているので、軒天板４に目地が発生しない。また、目地にカバー材を配置したりコーキング材を充填したりすることがないので、庇１を下方より見上げたとき（図２の状態）、目地やカバー材、さらにはカバー材を固定するビスの存在による見栄えの低下がない。
【００４３】
また、軒天板４は一枚の板材４０の上面の長さ方向の中間位置に全幅にわたる少なくとも１本の補強枠材４１を固着して構成されているので、軒天板４の幅中央部が自重によって撓むことがない。さらに、補強枠材４１の各ブラケット１１と交叉する位置に、補強枠材４１と各ブラケット４４とを連結する連結金具７をそれぞれ設けて、各連結金具７を介して軒天板４の長さ方向の中間位置を各ブラケット１１に支持させるので、軒天板４の長さ中央部が自重によって撓むこともない。
【符号の説明】
【００４４】
１    庇
２    庇本体
３    屋根板
４    軒天板
５    妻板
６    軒先板
７    連結金具
１１  ブラケット
３０，４０  板材
４１  補強枠材
７０  ボルト
７１  頭部
７２  ネジ軸部
７３  連結固定板
【図１】
2010248828.tif 000003
【図２】
2010248828.tif 000004
【図３】
2010248828.tif 000005
【図４】
2010248828.tif 000006
【図５】
2010248828.tif 000007
【図６】
2010248828.tif 000008
【図７】
2010248828.tif 000009
【図８】
2010248828.tif 000010
【図９】
2010248828.tif 000011
【図１０】
2010248828.tif 000012
【図１１】
2010248828.tif 000013
【図１２】
2010248828.tif 000014
【図１３】
2010248828.tif 000015
【図１４】
2010248828.tif 000016
【手続補正書】
【提出日】平成21年5月9日(2009.5.9)
【手続補正１】
【補正対象書類名】明細書
【補正対象項目名】０００４
【補正方法】変更
【補正の内容】
【０００４】
幅が狭い庇や張出量の小さな庇では、屋根板１０３や軒天板１０４は１枚の金属製の板材を用いて形成されるが、幅や張出量が大きくなると、板材の幅中央部や長さ中央部が自重により撓むため、図１３および図１４に示すように、複数枚のパネル１１０，１２０をそれぞれ連ねて屋根板１０３や軒天板１０４を形成している。なお、妻板１０５は屋根板１０３と軒天板１０４との間の左右の両側面に、また、軒先板１０６は屋根板１０３と軒天板１０４との間の前面に、それぞれ位置させるが、図示のものでは、妻板１０５，１０５を構成する部分は両端のパネル１１０ａ，１１０ｂに、軒先板１０６を構成する部分は全てのパネル１１０に、それぞれ一体形成されている。
【手続補正２】
【補正対象書類名】明細書
【補正対象項目名】００２４
【補正方法】変更
【補正の内容】
【００２４】
図示例の連結金具７は、ボルト７０と連結固定板７３とナット７５とで構成され、両端に位置する連結金具７には吊り金具７６が設けられている。
ボルト７０は大径の頭部７１が補強枠材４１の摺動溝４３に抜止め状態で係合されており、ネジ軸部７２が摺動溝４３の上面開口より上方へ突出している。連結固定板７３は、ボルト７０のネジ軸部７２が貫通する孔７４を有する基板部７３ａと、ブラケット１１の下板部１５上に係合させる係合板部７３ｂとが、ブラケット１１の下板部１５の厚みに相当する高さの段部７３ｃを介して一体に屈曲形成されたものである。ナット７５は、ボルト７０のネジ軸部７２にねじ込まれ、ネジ軸部７２に支持された連結固定板７３の係合板部７３ｂをブラケット１１の下板部１５上に係合させた状態で連結固定板７３の基板部７３ａを補強枠材４１との間で締め付けるものである。連結固定板７３の係合板部７３ｂはブラケット１１の下板部１５にビス７７により止着される。
【手続補正３】
【補正対象書類名】明細書
【補正対象項目名】００３２
【補正方法】変更
【補正の内容】
【００３２】
上部保持枠５０は、妻板５の上端部を全長にわたって挟持する第１の挟持部５１と、屋根板３の側端部を全長にわたって挟持する第２の挟持部５５とを一体に備えている。
第１の挟持部５１は、妻板５の上端部の一定幅を全長にわたって内側より支持する支持板部５２と、支持板部５２との間で妻板５の上端縁を挟持する縁板部５３とから成るもので、支持板部５２と縁板部５３との間には妻板５の上端部が挿入されて支持される支持溝５４が形成されている。第２の挟持部５５は、屋根板３の側端部の一定幅を全長にわたって下側より支持する支持板部５６と、支持板部５６との間で屋根板３の側端部を挟持する縁板部５７とを、それぞれ内方へ突設して成るもので、支持板部５６と縁板部５７との間には屋根板６の側端部が挿入されて支持される支持溝５８が形成されている。第１の挟持部５１において妻板５の上端部と上部保持枠５０との間、第２の挟持部５５において妻板５の側端部と上部保持枠５０との間はそれぞれ接着剤により接合されている。
【手続補正４】
【補正対象書類名】明細書
【補正対象項目名】００３４
【補正方法】変更
【補正の内容】
【００３４】
カバー９５は、アルミニウムなどの金属や合成樹脂により形成され、前記開口部分より十分に広い幅の覆い板９６と、互いに対向する脚板９７，９７とが一体形成されたものである。各脚板９７，９７の先端には外向きの係合突起が９８，９８が、また、支持板部８２と突板部８６とが対向する面には内向きの係合突起８７が、それぞれ設けてあり、カバー９５の脚板９７，９７を支持板部８２と突板部８６との間の開口部分へ挿入したとき、係合突起９８，８７が互いに係合してカバー９５が抜止め状態となる。
【手続補正５】
【補正対象書類名】明細書
【補正対象項目名】００４３
【補正方法】変更
【補正の内容】
【００４３】
また、軒天板４は一枚の板材４０の上面の長さ方向の中間位置に全幅にわたる少なくとも１本の補強枠材４１を固着して構成されているので、軒天板４の幅中央部が自重によって撓むことがない。さらに、補強枠材４１の各ブラケット１１と交叉する位置に、補強枠材４１と各ブラケット１１とを連結する連結金具７をそれぞれ設けて、各連結金具７を介して軒天板４の長さ方向の中間位置を各ブラケット１１に支持させるので、軒天板４の長さ中央部が自重によって撓むこともない。
【手続補正６】
【補正対象書類名】図面
【補正対象項目名】図１０
【補正方法】変更
【補正の内容】
【図１０】
2010248828.tif 000017
【手続補正７】
【補正対象書類名】図面
【補正対象項目名】図１３
【補正方法】変更
【補正の内容】
【図１３】
2010248828.tif 000018